(57)【要約】  本発明は新型プレハブスラブ式防振軌道構造システム及び関連工法を開示する。レール構造システムはレール、ホルダー、プレスプレート、弾性ガスケット層、シールカバー、縦方向連結装置、充填層などから構成される。弾性ワッシャーと予製板は工場内で複合して一体化できる。レールプレートは，工事のニーズにより，レールプレートの厚さ方向を貫通する１−３個の穴(充填層の注入，灌流状態の観察用)，支持脚用リザーブ穴の取り付け，測位標識用穴の取り付け，位置決め用穴の敷設用である。対中マーカー，弾性スペーサー複合接続用埋立物，起吊用吊り釘，レール板縦方向連結用埋立物，接触レール取り付け用埋立部品などである。プレハブ軌道板の敷設は運搬車、吊車、精調台車などの舗装設備を採用して、工事工程が簡単で、施工速度が速い、施工精度が高くて、軌道平順性が良くて、労働強度が低いという特徴がある。運転後のレールプレート，バネマット交換の利便性問題を解決した。【選択図】図１
2019501320.tif 000002
【特許請求の範囲】
【請求項１】
下から順に充填層、弾性クッション層及び軌道スラブを備え、弾性クッション層が充填層の上に敷設され、該充填層が自己充填コンクリートなど流動性に優れたコンクリート材料からなり、それにより注入時、優れた流動性を提供し、且つ優れた支持効果を提供し、弾性クッション層とプレハブスラブが一体に複合され、該軌道スラブが弾性クッション層の上に設けられ、防振作用を果たし、前記軌道スラブに並行する２本のレールが設けられ、各レールがそれぞれ複数の締結具によって該軌道スラブに固定されることを特徴とするプレハブスラブ式防振軌道構造システム。
【請求項２】
前記弾性クッション層は面状支持又は点状支持又は帯状支持であり、面状支持において、軌道スラブの下面が弾性クッション層の上面に全面にわたって平らに敷設され、点状支持において、前記弾性クッション層は間隔をあけて並んだ複数の直方体、円筒、円錐台又はプリズム形状の弾性クッション層を含み、前記軌道スラブの下面が前記複数の弾性クッション層の上に敷設され、帯状支持において、前記弾性クッション層は少なくとも２本の並行する弾性支持ストリップを含み、前記軌道スラブの下面が２本の弾性支持ストリップの最上面に敷設されることを特徴とする請求項１に記載の防振軌道構造システム。
【請求項３】
軌道スラブの上面を水平面又はヘリンボーン斜面、軌道スラブの断面を多角形、円形トンネルセクションの両側を斜面構造とすることで、トンネル断面への適応性を向上させることを特徴とする請求項１に記載の防振軌道構造システム。
【請求項４】
軌道スラブに、軌道スラブの厚さ方向を貫通するスラブ下部充填層の注入、固定杭の位置保留、スラブ下部充填層の注入状況の観察用の１−３個の孔が設けられることを特徴とする請求項１に記載の防振軌道構造システム。
【請求項５】
軌道スラブに、仮設位置決め用の支持脚を取り付ける保留取付構造が設けられ、前記支持脚がスラブ内又はスラブ側面に位置する取付スリーブ装置と支持脚に付いたねじ山によってスリーブ内のねじ山と噛合して固定及び調整を実現することを特徴とする請求項１に記載の防振軌道構造システム。
【請求項６】
軌道スラブに自動測定位置決めマーク埋め込み構造を有し、前記マーク埋め込み構造がスラブ内の埋め込みケーシング又は取付締結具用ケーシングを備えることを特徴とする請求項１に記載の防振軌道構造システム。
【請求項７】
軌道スラブにスラブ敷設位置決め用のセンタリングマークを有することを特徴とする請求項１に記載の防振軌道構造システム。
【請求項８】
軌道スラブに埋め込み吊り上げ用の３−４個の専用吊り上げ釘を有することを特徴とする請求項１に記載の防振軌道構造システム。
【請求項９】
軌道スラブの端部に縦方向接続用の埋め込み部材が設けられることを特徴とする請求項１に記載の防振軌道構造システム。
【請求項１０】
軌道スラブに接触レール用の埋め込み部材が取り付けられることを特徴とする請求項１に記載の防振軌道構造システム。
【請求項１１】
スラブ内鉄筋の間隔は所定係数に応じて設定されることで、鉄筋網の自動生産に有利であることを特徴とする請求項１に記載の防振軌道構造システム。
【請求項１２】
弾性クッション層に複合接続用の埋め込み部材が設けられ、埋め込み部材はボルトスリーブ、アンカーボルト固定端、簡易型アンカーボルト又は木製埋め込み杭であり、さらに保留溝又は埋め込みチャンネル等によってプレハブスラブと弾性クッションの複合を実現できることを特徴とする請求項１に記載の防振軌道構造システム。
【請求項１３】
防振クッション層と軌道スラブとの接続は防振クッションの特性発揮を損なわない特殊の接続方法を採用することを特徴とする請求項１に記載の防振軌道構造システム。
【請求項１４】
軌道スラブの底部に防振クッション層と側面クッション層を複合するには、別体又は一体化、不均一な剛性設計を採用できることを特徴とする請求項１に記載の防振軌道構造システム。
【請求項１５】
軌道スラブの搬送及び敷設ステップ１と、
トンネルの基礎に溜まった水を排出し、且つ防振クッションと軌道スラブの複合状況及び防振クッションの周囲の密封状況を検査した後、コンクリート施工を行い、軌道スラブ下部コンクリートは自己充填コンクリートなど流動性に優れたコンクリート材料を用いるコンクリート注入ステップ２と、
コンクリート養生ステップ３と、
締結具敷設ステップ４と、
レール敷設ステップ５と、を含む請求項１−１４のいずれか一項に記載のプレハブスラブ式防振軌道構造システムの関連工法。
【請求項１６】
ステップ１は、
スラブ搬送車によってスラブを現場に運び、スラブ搬送車はトンネル構造の断面に応じて走行機構を調整して、異なる構造形態の走行ニーズを満たすステップ１）と、
専用吊り上げ車によって、その作業面に配置された軌道スラブを吊り上げ、トンネル内の円形シールド壁上を走行でき、水平面上をも走行でき、それにより様々なタイプの構造面に適応するステップ２）と、
軌道スラブの微調整は２種の手法を含み、すなわち、専用微調整用トロリー又は微調整機能を有する吊り上げ車において行い、スラブ調整命令に応じて、その上に配置された軌道スラブに多自由度（縦方向、横方向、回転及び標高等）の調整を行い、軌道スラブの微調整位置決めを実現し、スラブ調整制御システムはトータルステーションが軌道スラブに配置された測定マークを自動測定するように制御し、測定結果に基づき軌道スラブの位置、空間的姿勢及び設計位置に対するずれを計算し、微調整機構にスラブ調整命令を送信し、微調整機構は調整動作を行い、必要に応じて、軌道スラブを所定位置に調整するまで上記プロセスを繰り返すことを含むステップ３）と、
微調整完了後、調整可能な支持脚によって微調整済みのプレハブスラブを固定し、支持脚はスラブ中又はスラブ側面に近い位置に取り付けられ、軌道スラブが常に絶対的に安定することを確保することで、軌道スラブの位置精度が後続でスラブ下部充填層を注入する時に常に微調整の誤差要件を満たすステップ４）と、を含むことを特徴とする請求項６に記載の関連工法。
【発明の詳細な説明】
【技術分野】
【０００１】
本発明は軌道交通の防振分野に関し、特にプレハブスラブ式防振軌道構造システム及びその関連工法に関する。
【背景技術】
【０００２】
都市軌道交通の大規模な鉄道網の発展に伴って、都市軌道交通の工期がますます厳しくなり、軌道構造の施工は開通運営時間が迫るため、工期プレッシャーが特に大きく、一般には、地下鉄線の９ヶ月程度の軌道敷設工期はしばしば６ヶ月以下に圧縮され、従来の軌道構造は施工作業工程が多く、主に手作業であり、施工精度が制御し難く、施工進捗が遅い等の特徴につながる。全工事の施工工期と軌道敷設工期が圧縮されると、施工精度と軌道敷設品質を大きく損ない、運営を開始する線路の滑らかさと運転車両の快適性が低下し、軌道障害が頻繁に生じ、環境振動や騒音問題が深刻化してしまう。
【０００３】
従来の防振軌道構造は現場で鉄筋を結束し、コンクリートを現場打ちする工法を採用しており、一般には、毎日の施工速度が２５ｍ〜５０ｍ、作業者の数が８０〜１００名であり、現場打ちコンクリート量が大きく、特にシールドトンネル内において作業面が狭く、且つ大量の手作業によって施工精度が低く、作業効率が低く、さらに安全リスクが高く、設計、施工及び整備のコストも増える。また、現場打ち防振軌道区間の線路障害が時々発生し、例えば道床が割れやすい等である。
【０００４】
従って、本発明の設計者は上記欠陥に鑑みて、鋭意設計及び大量の試験研究を重ねて、プレハブスラブ式防振軌道構造システム、及び該構造にマッチする迅速工法及び施工設備を提案し、それにより従来の防振軌道構造システムの種々の欠陥を克服する。
【発明の概要】
【発明が解決しようとする課題】
【０００５】
本発明は、防振特性調整可能な軌道交通用新型プレハブスラブ式防振軌道構造システムを提供することを目的とする。該軌道構造システムは、様々な軌道防振ニーズを満たすことができ、工場生産を採用して高度自動化専用装置による敷設を実現し、施工速度が速く、軌道構造の精度が高く、線路の滑らかさに優れた等の特徴を有し、従来の軌道構造システム（防振及び非防振軌道構造を含む）の問題を効果的に克服できる。
【課題を解決するための手段】
【０００６】
上記問題を解決するために、本発明は新型プレハブスラブ式防振軌道構造システム及び関連工法を開示する。
【０００７】
新型プレハブスラブ式防振軌道構造システムは防振特性が調整可能で、手動又は自動専用装置による敷設に適用でき、調整可能な仮設縦支持装置（支持脚）によって支持され、該軌道構造システムは、工場でプレハブされた高精度軌道スラブと、特殊の方式で軌道スラブの表面に複合（工場で複合又は施工現場で複合）された弾性クッション層と、支持高さを調整可能な仮設縦支持装置と、後打ち式軌道スラブ固定杭と、軌道スラブの下部に現場打ちされた自己充填コンクリート又はほかの流動性に優れた硬化性裏込材とを順に備える。新型プレハブスラブ式防振軌道の主な施工プロセスは、順に、工場又は現場でプレハブ軌道スラブ構造を生産する工程→工場又は現場で防振クッション層を複合する工程→専用敷設設備によって軌道スラブを高精度に位置決めする工程→縦支持装置によって軌道スラブを仮固定する工程→軌道スラブの下方に位置するコンクリート充填層を１回又は複数回に分けて注入する工程である。
【０００８】
１、新型プレハブスラブ式防振軌道構造システムの特徴は以下の通りである。
【０００９】
１）工場又は現場で高精度金型を用いて高精度の鉄筋コンクリート軌道スラブをプレハブする。
【００１０】
２）軌道スラブの上面を水平面又はヘリンボーン斜面の形態とする。軌道スラブの断面を多角形、円形トンネルセクションの両側を斜面構造とすることで、トンネル断面への適応性を向上させ、長方形、馬蹄形のトンネル断面セクションの軌道スラブは長方形断面であってもよく、円形トンネルの断面と同様に両側が斜面の形態であってもよい。
【００１１】
３）軌道スラブの表面に専用レール受けボスが設置され、ボスにレールを接続するための締結具が取り付けられる。
【００１２】
４）スラブ内鉄筋の間隔は所定の係数（例えば２５ｍｍ、５０ｍｍの整数倍）及び形状に応じて設定され、スラブ内鉄筋網の自動生産を実現する。
【００１３】
５）特殊の施工及び使用需要を満たすために、軌道スラブに対応した孔及び埋め込み部材が予め設けられる必要があり、主に以下を含む（具体的なニーズに応じて選択的に実施できる）。
【００１４】
（１）レール締結具を取り付ける埋め込み部材（ナイロンケーシング等）。
【００１５】
（２）軌道スラブの厚さ方向を貫通する１−３個の孔（スラブ下部充填層の注入、固定杭の位置保留、スラブ下部充填層の注入状況の観察等に用いられる）。
【００１６】
（３）仮設位置決め縦支持装置を取り付けるために取付条件を保留する。縦支持装置はスラブ中又はスラブの側面の位置に取り付けられる。
【００１７】
（４）自動測定位置決めマークのために取付条件を埋め込む。スラブ内にケーシングを埋め込み又は直接取付締結具用ケーシングを使用する等によって実現される。
【００１８】
（５）軌道スラブに位置決め用のセンタリングマークを敷設する。
【００１９】
（６）埋め込み弾性クッション層の複合接続用の埋め込み部材。接続埋め込み部材はボルトスリーブ、アンカーボルト固定端、簡易型アンカーボルト及び木製埋め込み杭等であってもよく、保留溝又は埋め込みチャンネル等によってプレハブスラブと弾性クッションとの複合を実現してもよい。
【００２０】
（７）吊り上げ用の３−４個の専用吊り上げ釘を埋め込む。
【００２１】
（８）軌道スラブ縦方向接続用の埋め込み部材を保留する。
【００２２】
（９）接触レール取付用の埋め込み部材を埋め込む（必要時）等。
【００２３】
２、工場内又は施工現場では防振クッション層をプレハブ軌道スラブの底部及び側面に複合して、スラブ、クッションの一体化を実現する。そのポイントは以下の通りである。
【００２４】
１）防振クッション層は弾性材料からなり、異なる構造と構成形態の防振フィルム材、ポリウレタン類シート及び弾性と防振特性を有するほかの類似材料を含む。
【００２５】
２）異なる防振等級の需要を満たすために、防振クッション層は軌道スラブの底部に全面敷設、帯状敷設及び点状敷設等の３種の敷設方法を採用できる。弾性クッション層は面状支持である場合、軌道スラブの下面が弾性クッション層の上面に全面にわたって平らに敷設される。弾性クッション層は帯状支持である場合、少なくとも２本の並行する弾性支持ストリップを含み、前記軌道スラブの下面が２本の弾性支持ストリップの最上面に敷設される。弾性クッション層は点状支持である場合、間隔をあけて並んだ複数の直方体、円筒、円錐台又はプリズム形状の弾性クッション層を含み、前記軌道スラブの下面が前記複数の弾性点状支持の上に敷設される。
【００２６】
３）防振クッション層と軌道スラブとの接続は防振クッションの特性発揮を損なわない特殊の接続方法を採用する。
【００２７】
４）底部の充填コンクリートがクッション層のスリットに侵入して防振クッションの弾性損失及び消失を招くことを防止するために、軌道スラブの孔開け部位に、底部に「つば」を有する専用の弾性密封スリーブが設置され、密封スリーブの底部の「つば」が防振クッションの底面に効果的に密封接続される。密封スリーブはさらに隔離軌道スラブ及び位置決め固定杭を有することで、直接ハード接触を回避し、軌道スラブが位置決め杭の制約作用を受けずに上下に変形自在であり、それにより軌道スラブの弾性的位置決めを実現し、応力集中を回避するとともに、軌道スラブの弾性損失を解消する。
【００２８】
５）軌道スラブの底部に複合された防振クッション層がスラブ端部、スラブ側面と一体成形され、前記防振クッション層が成形後にブーツ（カバー）の形態になり、防振クッションの底部が側辺と一体になる。側面クッション層の主要な機能は軌道スラブと周辺コンクリートとの弾性的隔離を実現して、施工時にコンクリートが防振クッションと軌道スラブとの間の結合層に侵入することを回避し、軌道スラブが上下に変形自在であることを確保し、防振「短絡」現象を回避することである。底部クッション層の主要な機能は軌道スラブの弾性を提供し、軌道構造システムの防振機能を実現することである。
【００２９】
６）必要に応じて、弾性クッション層の露出した部位に密封手段が設置され、それにより施工、運営過程での粉塵、汚れや地下水が結合層に侵入することを防止する。
【００３０】
３、工場内又は施工現場において防振クッション層をプレハブ軌道スラブに複合した後、スラブを軌道敷設現場に運び、主要な施工プロセスは以下の通りである。
【００３１】
１）スラブ搬送車（スラブ吊り上げ、スラブ卸し機能を有する）でスラブを現場に運ぶ。
【００３２】
２）軌道スラブを微調整用トロリーに配置する。
【００３３】
３）微調整用トロリーはスラブ調整命令に応じて、その上に配置された軌道スラブに多自由度（縦方向、横方向、回転及び標高等）の調整を行い、軌道スラブの微調整位置決めを実現する。スラブ調整制御システムはトータルステーションが軌道スラブに配置された測定マークを自動測定するように制御するステップと、測定結果に基づき軌道スラブの位置、空間的姿勢及び設計位置に対するずれを計算するステップと、微調整用トロリーにスラブ調整命令を送信するステップと、微調整用トロリーは調整動作を行い、必要に応じて、軌道スラブを所定位置に調整するまで上記プロセスを繰り返すステップと、を含む。
【００３４】
３）高さ調整可能な軌道スラブ専用縦支持装置を用いて、微調整済みの軌道スラブを空間的に支持して、固定する。軌道スラブ毎に、複数の支持点を設置する必要があり、縦支持装置はスラブ中に設けられてもよく、スラブの側面に設けられてもよい。底部トンネル構造に存在する可能性のある構造斜面に適応するために、縦支持装置の底部に斜面の角度に自動的に適応可能なユニバーサル可動ボール付きの当て板が設けられる。縦支持装置は取り外し可能・再利用設計を採用する。縦支持装置は軌道スラブが常に絶対的に安定することを確保することで、軌道スラブの位置精度が後続でスラブ下部充填層を注入する時に常に微調整の誤差要件を満たす。
【００３５】
４）スラブ下部コンクリート充填層を注入する。軌道スラブに予め保留された注入孔によって注入を行う。充填層注入中に軌道スラブが浮上して軌道スラブの精度を損なうことを回避するために、２〜３回に分けて充填層の注入を行う。
【００３６】
５）充填層が注入されて所定強度に達すると、縦支持装置を取り出し、その底部の可動ボール当て板が自動的に支持装置から分離してコンクリートに残る。支持装置を円滑に撤去することを確保するために、支持体構造のコンクリート中に位置する部分はコーン形状としており、且つ中心排気孔が設けられる。
【００３７】
６）締結具の取付。充填層が所定強度に達すると、軌道スラブの上部締結具の取付を行い、軌道スラブ搬送車によって締結具を作業面に搬送し、取付順序はスラブ下部弾性当て板→鉄製当て板→軌道下弾性当て板である。
【００３８】
７）レールの取付。軌道搬送車によってレールを作業面に搬送し、搬送車によってレールを取付点に卸して分散させ、手動でレールを鉄製当て板のレール受け溝内に移動させ、ゲージブロック、接続ボルト及びクリップを取り付ける。
【００３９】
上記構造及び関連工法によれば、本発明のプレハブスラブ式防振軌道構造システム及びその関連工法はプレハブ軌道スラブ、防振クッション層を用いることで、軌道構造システムに防振機能を付与し、軌道交通による振動問題をよく解消でき、スラブ内に吊り上げ、スラブクッション複合、軌道スラブ測定、軌道スラブ下部充填層の注入、スラブの敷設位置決め、スラブの固定等の複数種の機能用の埋め込み部材又は取付条件を予め設置し、スラブ搬送車、スラブ吊り上げ車及び微調整用トロリー等の軌道敷設設備を用いて、スラブの吊り上げ、敷設及び正確位置決めを実現し、高精度の迅速施工及び後期の軌道スラブ、弾性クッション層の交換問題をよく解決できる。施工プロセスが簡単で、施工速度が速く、施工精度が高く、軌道の滑らかさに優れ、作業量が少ない等の特徴を有する。
【００４０】
本発明の詳細は後述する説明及び図面から分かる。
【図面の簡単な説明】
【００４１】
【図１】図１は本発明のプレハブ防振軌道構造システムの構造模式図を示す。
【図２】図２は本発明の面状支持の平面図を示す。
【図３】図３は本発明の点状支持の平面図を示す。
【図４】図４は本発明の帯状支持の平面図を示す。
【図５】図５は本発明のスラブ調整後に調整バーによってスラブを固定する様子の模式図を示す。
【図６】図６は本発明のスラブ搬送車の構造模式図を示す。
【図７】図７は本発明の吊り上げ車の構造模式図を示す。
【図８】図８は本発明の微調整機能を有する吊り上げ車の構造模式図を示す。
【図９】図９は本発明の微調整用トロリーの構造模式図を示す。
【発明を実施するための形態】
【００４２】
図１に示すように、本発明はプレハブ防振軌道構造システムに関し、前記プレハブ防振軌道構造システムは多層設計であり、下から順に充填層１、弾性クッション層４及び軌道スラブ６を備える。
【００４３】
充填層１は最下位層であり、弾性クッション層４は充填層１の上に敷設され、好適には、該充填層は自己充填コンクリートからなり、それにより注入時、優れた流動性を提供し、且つ優れた支持効果を提供できる。弾性クッション層４の端部はシーリング材（ポリウレタンシーラント等の材料）１５であり、それにより粉塵、異物、水等が弾性クッション層４と軌道６又は弾性クッション層４と充填層１との間の隙間に侵入することを防止する。
【００４４】
該弾性クッション層４は充填層１の上に設けられ、充填層１の弾性緩衝を提供し、その迅速損傷を回避し、好ましくは、前記該弾性クッション層４はゴム又はポリウレタン等の弾性材料からなり、優れた防振効果を提供できる。
【００４５】
該軌道スラブ６は弾性クッション層４の上に設けられ、防振作用を果たし、前記軌道スラブ６に並行する２本のレール７が設けられ、各レール７がそれぞれ複数の締結具５によって該軌道スラブ６に固定される。
【００４６】
好ましくは、前記弾性クッション層４は面状支持（図２参照）、点状支持（図３参照）及び帯状支持（図４参照）の３種の形態を含む。
【００４７】
図２に示される面状支持において、軌道スラブ６の下面が弾性クッション層４の上面に全面にわたって平らに敷設され、前記弾性クッション層４全体が軌道スラブ６の底部及び両側の側部に被覆される。
【００４８】
図３に示される点状支持において、前記弾性クッション層４は間隔をあけて並んだ複数の直方体、円筒、円錐台又はプリズム形状の弾性クッション層４を含み、前記軌道スラブ６の下面が前記複数の弾性クッション層の上に敷設される。
【００４９】
図４に示される帯状支持において、前記弾性クッション層４は少なくとも２本の並行する弾性支持ストリップを含み、前記軌道スラブ６の下面が２本の弾性支持ストリップの最上面に敷設される。
【００５０】
好ましくは、前記軌道スラブ６の断面は対称的な多角形であり、その両側を斜面構造とすることで、トンネル断面への適応性を向上させる。
【００５１】
前記軌道スラブ６の上面は水平面又は斜面を有するものであり、ボスが設けられ、ボスの表面が水平面又は斜面である。
【００５２】
軌道スラブ６の上面に４個の吊り上げ、敷設用の吊り上げ点１１、センタリング用のマーク１４、スラブ調整固定用の保留孔１２が予め設けられ、プリズム取付用孔は締結具取付用ナイロンケーシングを用いてもよく、スラブ内に専用埋め込みナイロンケーシングを埋め込んでもよい。
【００５３】
前記軌道スラブ６の両側に縦方向接続装置１０が設けられ、それにより縦方向接続装置１０によって軌道スラブ６同士を接続し、スラブ同士のずれをよりよく回避でき、前記縦方向接続装置１０は軌道スラブ６に位置する複数の取付孔、及びボルトによって取付孔内に固定される接続バーを備え、それにより２つのプレハブスラブの間に縦方向接続方式を適用する。
【００５４】
前記軌道スラブ６の中部に、軌道スラブ６と弾性クッション層４を貫通する２つの孔２が設けられ、孔２によって充填層を注入した後、スラブの制限杭を形成する。
【００５５】
前記孔２内に密封スリーブ３が取り付けられ、前記密封スリーブは弾性材料からなる円筒構造であり、孔内から充填層を注入する時、充填材料がスラブと弾性クッション層との間に入って防振故障を招くことを回避する。それとともに、スラブと制限杭との間に緩衝作用を形成する。
【００５６】
前記軌道スラブ６はライン生産され、弾性クッション層が軌道スラブと工場内で一体に複合され（特殊の場合に、弾性クッション層が現場で敷設されてもよい）、スラブ搬送車によって現場に運んだ後、微調整プラットフォームトロリーによって敷設、微調整した後、調整バー１４によってスラブを固定した後、充填層を注入し、シームレスレールを敷設する。
【００５７】
前記軌道スラブ６の両側に排水溝８が設けられ、弾性クッション層４の下部に溝（この場合、排水溝８が設けなくてもよい）が設けられてもよく設けられなくてもよい。
【００５８】
本発明のプレハブスラブ防振軌道構造システムを提供するために、プレハブ時、効率よく複合を行うべきであり、前記軌道防振構造の複合方法は以下のステップを含む。
【００５９】
ステップ１：軌道スラブのプレハブ
【００６０】
工場内で軌道スラブ内の鉄筋結束、軌道スラブコンクリート注入を行い、プレハブ完了後、被覆、蓄水、シートによる保湿、養生剤のスプレー又は塗布等の養生手法によって、軌道スラブ養生を行う。
【００６１】
ステップ２：スラブクッション複合
【００６２】
軌道スラブの養生完了後、軌道スラブの底面、斜面及び側面に防振クッションを被覆し、且つ該防振クッションはスラブ端部、スラブ下部、スラブ側面と一体成形されることで、切断や二次締結を回避する。防振クッション層と軌道スラブの複合は防振クッションの特性発揮を損なわない特殊の複合方法を採用する。
【００６３】
本発明の関連工法は主に以下のステップを含む。
【００６４】
ステップ１：軌道スラブの搬送
【００６５】
専用スラブ搬送車を用いて軌道スラブを作業現場に運び、軌道スラブがスラブ搬送車に吊り上げられ、スラブ搬送車にセルフロック装置が設けられ、セルフロック装置が軌道スラブを自動的に固定し且つ軌道スラブの中心を車両のフロアの中心に自動的に合わせ、搬送中に軌道スラブの位置を制御する。スラブ搬送車が作業面まで走行し、それと連動するスラブ卸し機構が自動的に軌道スラブを作業面に卸す。トンネル内スラブ搬送車が無軌道輸送方式を採用し、図６に示すように、前記トンネル内スラブ搬送車は複数の軌道スラブを載置する車体１６、及び車体の下端に位置する複数の走行部１８を備え、スラブ搬送車の一端に軌道スラブを卸すベルトコンベヤ１７、自動スラブ卸し機構１９がさらに設けられ、前記トンネル内スラブ搬送車の前後部にそれぞれドライバ制御室が設けられるとともに、トンネル内スラブ搬送車はトンネル構造の断面に応じて走行機構を調整して、異なる構造形態の走行ニーズを満たす（平面基礎も曲面基礎も可）。
【００６６】
ステップ２、軌道スラブの吊り上げ
【００６７】
専用吊り上げ車は作業面に配置された軌道スラブを吊り上げ、トンネル内の円形シールド壁上を走行でき、水平面上をも走行でき、それにより様々なタイプの構造面に適応する（すなわち、平面基礎も曲面基礎も可）。図７、図８に示すように、吊り上げ車は、フレーム構造２０と、曲面と平面上を走行可能な走行機構２１と、軌道スラブの昇降を制御する昇降機構２２が設けられ、さらに制御システム２３、油圧装置２５、位置決めシステム２４等を備える。
【００６８】
ステップ３、軌道スラブの微調整
【００６９】
軌道スラブの微調整は２種の手法を含み、それぞれ以下の通りである。
【００７０】
１、手法１
専用吊り上げ車に微調整機構と高精度制御システムが設計される。図８に示すように、主にフレーム構造２０及び前後走行機構２１を備え、前記フレーム構造２０に調整シリンダ２２が設けられ、前記調整シリンダ２２は２つの縦方向調整シリンダ及び２つの横方向調整シリンダを含み、それぞれ軌道スラブに接続された調整レバーによって軌道スラブを調整し、測定装置によってデータを静的トロリー制御システムにフィードバックし、スラブ調整車は軌道スラブの標高、中心線特定及び高さ超過の調整を自動的に行うことで、軌道スラブの位置が微調整要件の精度を満たし、前記走行機構２１は精密制御システム２３を用いて、トータルステーションの測定を油圧装置２５にフィードバックし、トータルステーションによって位置決めシステム２４を測定し、それにより吊り上げ車の高精度位置決めを実現し、軌道スラブの微調整を実現する。微調整完了後、軌道スラブに軌道スラブサポート１３を取り付け、軌道スラブの位置を固定することで、後続で下部充填層１を注入する時に軌道スラブの位置精度が常に誤差要件を満たすことを確保する。
【００７１】
２、手法２
専用吊り上げ車は軌道スラブを、開発した微調整用トロリーに卸した後、微調整用トロリーによって軌道スラブを微調整位置決めする。
【００７２】
図９に示すように、前記微調整用トロリーは主に、牽引車２７、微調整小フレーム２６、回転トレイ２９、縦方向・横方向ガイドレール２８、３０、高さ調整シリンダ３１等を備える。測定装置によってデータを静的調整トロリー制御システムにフィードバックし、軌道スラブの姿勢の自動調整を実現する。コア回転トレイ２９の回転によって軌道スラブの軸線を線路の中心線に平行させた後、回転自由度をロックする。縦方向ガイドレール２８と横方向ガイドガイドレール３０によって移動トレイの線路方向と線路方向に垂直な位置を調整し、移動トレイ上の軌道スラブの投影位置（水平位置）を所定位置に調整する。移動機構に設けられた縦方向調整ジャッキ３１によって軌道スラブの標高を調整する。最終的に軌道スラブの位置に微調整要件の精度を満たさせる。微調整完了後、軌道スラブに軌道スラブサポート１３を取り付け、軌道スラブの位置を固定することで、後続で下部充填層１を注入する時に軌道スラブの位置精度が常に誤差要件を満たすことを確保する、
【００７３】
ステップ２：コンクリート注入
【００７４】
防振クッションと軌道スラブとの複合状況及び防振クッションの周囲の密封状況を検査した後、コンクリート注入を行う。軌道スラブ下部充填層は自己充填コンクリート材料からなる。
【００７５】
前記自己充填コンクリートの注入は現場混合の方式を採用する。自己充填コンクリートは袋詰めであり、現場に運んだ後、撹拌装置によってコンクリートの混合を行い、均一に混合した後、固有の輸送配管によって軌道スラブに予め設けられた注入孔（制限ボスと兼用する）から注入する。
【００７６】
自己充填コンクリートの注入時、表面の滑らかさ及び緻密性の向上のため、小型バイブレータを挿入して振動を補助する。
【００７７】
注入後、静置過程では気泡のオーバーフローによってコンクリートが沈下し、コンクリートの初期硬化前に所定標高まで補充する。充填層注入中の軌道スラブの浮上による軌道スラブの精度への影響を回避するために、充填層注入は２回に分けて行われ、第１回にスラブの底から５０ｍｍに注入し、コンクリートの最終硬化後にさらに注入する。
【００７８】
ステップ３：締結具の敷設
【００７９】
自己充填コンクリートが所定強度に達すると、軌道スラブの上部締結具の取付を行い、軌道スラブ搬送車によって締結具を作業面に搬送し、取付順序はスラブ下部ゴム当て板→鉄製当て板→軌道下部ゴム当て板である。
【００８０】
ステップ４：レール敷設
【００８１】
軌道スラブ搬送車によってレールを作業面に搬送し、搬送車によってレールを取付点に卸して分散させ、手動でレールを鉄製当て板のレール受け溝内に移動させ、ゲージブロック、接続ボルト及びクリップを取り付けて溶接接続する。
【００８２】
本発明は以下の利点を有する。
【００８３】
１、構造形態が地下鉄シールドトンネルの寸法によりよく適応でき、土木工事の誤差による軌道敷設への影響を大幅に軽減させる。
【００８４】
２、プレハブスラブ構造とすることで、敷設進捗及び施工品質を向上させ、軌道構造システムの信頼性を強化し、且つ外観が美しくなる。
【００８５】
３、プレハブスラブと弾性クッション層を工場で複合することで、吊り上げ、上部支持時にスラブを保護でき、且つ弾性クッションを現場で敷設する工程を省くことで、施工進捗を向上させる。
【００８６】
４、スラブに吊り上げ点、センタリングマーク、調整バー取付孔、測定プリズム取付孔等を予め設けるという複数種の措置を取ることで、軌道スラブの迅速、高精度施工を実現し、且つ防振軌道構造システムの交換性を向上させる。
【００８７】
５、自己充填コンクリートを注入することで、コンクリートの流動性を高め、軌道スラブ下部コンクリートの緻密性を確保する。
【００８８】
６、制限装置と底部コンクリートの一次成形を実現する。
【００８９】
７、自ら開発した微調整用トロリーシステムによってスラブ敷設を行い、施工プロセスが簡単で、施工進捗を大幅に加速し、敷設精度が高く、作業量を大幅に低減させる。
【００９０】
従って、本発明のスラブ式軌道防振構造及び関連工法は軌道交通分野に適用でき、防振特性が必要に応じて適宜設計できるだけでなく、施工プロセスが簡単で、施工速度が速く、施工精度が高く、軌道の滑らかさに優れ、作業量が小さい等の特徴を有し、現在の軌道交通の環境配慮、高効率及び障害減少の傾向に一致し、社会的利益が巨大で、都市軌道交通の車両走行で生じた振動及び二次構造騒音の問題を効果的に軽減させる。
【００９１】
明らかなように、上記説明と記載は例示的であり、本発明の開示内容、応用又は使用を限定するものではない。図面に示される実施例を参照して説明したが、本発明は図面に示された例及び実施例に説明された本発明を実施する従来の特定の最適実施例に限定されるものではなく、本発明の範囲は上記明細書及び添付特許請求の範囲に属するすべての実施例を含む。
【図１】
2019501320.tif 000003
【図２】
2019501320.tif 000004
【図３】
2019501320.tif 000005
【図４】
2019501320.tif 000006
【図５】
2019501320.tif 000007
【図６】
2019501320.tif 000008
【図７】
2019501320.tif 000009
【図８】
2019501320.tif 000010
【図９】
2019501320.tif 000011
【手続補正書】
【提出日】平成30年9月6日(2018.9.6)
【手続補正１】
【補正対象書類名】明細書
【補正対象項目名】全文
【補正方法】変更
【補正の内容】
【発明の詳細な説明】
【技術分野】
【０００１】
本発明は軌道交通の軌道構造の技術分野に関し、特に新型プレハブ鉄筋コンクリート道床と防振ゴム層を複合した防振軌道構造、複合軌道構造において一括充填する（コンクリート注入）一体化注入式工法、及び施工プロセスにマッチングする一連の新型関連施工装置及び技術に関する。
【背景技術】
【０００２】
従来の都市軌道交通の一体式コンクリート軌道道床は通常、現場で鉄筋を結束し現場でコンクリートを打設する工法を採用し、このような工法は現場での作業量が大きく、施工作業工程が多く（通常の軌道敷設作業は１３以上の工程を有する）、作業者が多く、施工速度が遅く、軌道敷設作業においてレールとレール受け台を組み立てて軌框を形成しなければ施工精度要件を満たせないのであり、このようにしても、施工完了後の軌道精度が低い。工期が短く施工進捗を加速する必要がある時（工事を急ぐ場合）、軌道敷設精度がさらに低い。
【０００３】
鉄道軌道構造は従来からバラスト軌道道床構造が最も多く使用されており、中国ではバラストレス軌道構造の応用が２００３年１０月に開通した秦皇島−瀋陽旅客輸送専用線路から開始し、該線路の一部のセクションにバラストレス軌道構造を初回試みて、すなわち工場でプレハブされたコンクリート道床スラブを、施工現場で底部に乳化アスファルトモルタル（ＣＡモルタル）を充填することで固定して取り付ける。
【０００４】
国際では、年代によって建設された高速鉄道の軌道構造は異なるタイプのプレハブ軌道構造、例えば中国の高速鉄道型、ＩＩ型及びＩＩＩ型軌道スラブ構造を使用している。これらのプレハブ軌道構造はほとんど、まず道床基層を敷設し、次に道床スラブを所定位置に配置して固定し、最終的に道床基層と軌道スラブとの間に薄層接着材料（例えば、ＣＡモルタル又は袋詰めモルタル）を充填する施工プロセスを採用し、軌道スラブの取付と微調整は通常の吊り上げ装置によって粗位置決めを行い、手動で測定位置決めデータに応じて微調整を行う方法を採用している。高速鉄道のプレハブ軌道構造は薄肉プレストレスト鉄筋コンクリートスラブを使用し、厚さが２００ｍｍ程度である。実際の運営過程では、プリストレスに起因するクリープ、太陽光照射による軌道スラブの最上面と底面との温度差に起因する変形、及び列車の動力作用に起因する衝撃等によって、軌道スラブの底面と充填層との結合面に大量のひび割れ、反り等の障害が生じ、これらの障害はある程度で列車の安全運転に対して隠れた危険性を招き、且つ解消しにくい。「結合面のひび割れへの懸念」は当業者の心に引っかかっている問題となる。環境振動及び騒音制約を受けないため、高速鉄道はスラブ式防振軌道を使用したことがない。
【０００５】
都市軌道交通の軌道構造の運営のスムーズさを向上させ、施工作業効率を高めるために、中国の上海、深セン等の都市では従来の現場打ちコンクリート施工プロセスのかわりにスラブ式軌道構造を試みた。これらの応用では、ほとんど高速鉄道のプレハブ軌道スラブの関連概念、技術及び施工プロセスを参考にし、その基本的な技術的特徴は主に、薄肉軌道スラブ、道床基層の先行施工、軌道スラブと基層との間の隙間の単独充填、軌道スラブ施工における手動微調整位置決め等を含む。完全に手動でスラブ敷設する場合、施工工程が多く、施工効率が低く、人的要因によるスラブ敷設精度への影響が大きい。技術とプロセスの点では高速鉄道技術とほぼ同様であるため、高速鉄道用スラブ式軌道の抱えている問題（障害）が依然として存在している。
【０００６】
都市軌道交通の防振要件を満たすために、軌道スラブの下に防振隔離層を設置する手法もあり、防振隔離層と軌道スラブを直接ねじによって固定する接続方式を採用するため、ねじの存在によって直接軌道スラブと基層コンクリートの「短絡」を起こし、防振隔離効果の低下や消失を招いてしまう。
【０００７】
要するに、都市軌道交通の実際応用ニーズを満たすスラブ式軌道構造を開発するには、次の点で技術革新を達成する必要がある。
【０００８】
一、良好な防振効果
【０００９】
都市軌道交通工事はほとんど、都市の中心エリアにあり、環境保護要件が高く、敏感な地域では軌道構造が良好な防振効果を実現する必要がある。以下の点は良好な防振を実現するポイントである。
【００１０】
１、軌道構造の有効振動質量をできるだけ増加する。
【００１１】
従来の高速鉄道及び都市軌道交通工事用の軌道構造は厚さが薄い（約２００ｍｍ）ため、直接都市軌道交通防振軌道に使用すると、有効振動質量が小さく防振効果を損ない、都市軌道交通の比較的高い防振要件を満たしにくい。従って、プレハブ軌道スラブの厚さを増加し、有効振動質量を増加し、防振効果を向上する必要がある。構造の厚さの増加に伴って、プリストレス構造を使用せずに力受け要件を満たすことができる。普通の鉄筋コンクリート構造によって、プリストレス偏心による軌道スラブの反りや後期コンクリートのクリープ変形等の問題を回避できる。
【００１２】
２、新規な軌道スラブと防振隔離層との接続方式によって、不適切な固定方式による接続短絡に起因する防振隔離層の故障を防止する。
【００１３】
二、従来のスラブ式軌道構造の一般的な障害を回避する。
【００１４】
軌道スラブ底部のグラウチング接触面「ひび割れ」障害は従来から高速鉄道の軌道運営メンテナンスに悩む難題であり、従来のアイデアでは障害の発生を徹底的に回避できないため、障害を回避するには、新たな概念、新たな方法、革新的な技術案を採用しなければならない。
【００１５】
三、革新的な軌道スラブ構造と施工プロセスによって、施工工程を減少させ、施工作業効率を大幅に向上させる。
【００１６】
「簡素化」を行い、設計技術案の革新によって、軌道スラブ構造の施工技術及びプロセス、軌道スラブ構造の水平制限杭の成形方式、軌道スラブの測定位置決め方式、運営期間での軌道スラブ構造のメンテナンス交換方式等の点では技術革新を行うことで、施工工程を大幅に減少させ施工作業の利便性を向上させ、更に各工程の施工作業効率を全面的に向上させる。
【００１７】
四、施工及び測定制御工程の機械化装置とインテリジェントシステムのレベルを高める。
【００１８】
従来の軌道スラブ施工では機械化装置を使用して一部の施工作業を行うが、その装置の設計が従来の施工プロセス条件に基づくものであるため、作業効率も制限され、また、従来の軌道スラブ微調整が手動で行われるため、施工効率にも影響する。新しい軌道構造と施工プロセスに基づく施工装置とインテリジェント測定制御システムを開発することは十分に重要である。
【００１９】
五、運営メンテナンスと防振隔離層の交換作業を容易にする。
【００２０】
従来の防振軌道構造設計はほとんど運営期間でのメンテナンス交換の利便性要素を考慮していないため、交換作業による運営への影響が重大で、運営機関によって頻繁に批判されている。新規技術は運営機関でのメンテナンスと防振隔離層の迅速交換を容易に実現できる要件を満たすべきである。
【００２１】
六、都市軌道交通の小半径曲線線路条件に適応する。
【００２２】
高速鉄道の線路は条件が良好で、曲線半径が大きく（一般には５０００ｍ以上）、施工難度が比較的小さいことに対して、都市軌道交通は環境条件によって制限され、本線線路の最小曲線半径が３００ｍと小さいため、プレハブスラブ式防振軌道は中小半径曲線に適応する技術案を研究する必要がある。
【００２３】
上記重要な問題の研究及び解決に鑑みて、鋭意設計及び試験研究を重ねて、本発明は都市軌道交通用のプレハブスラブ式防振軌道構造システム、及び関連施工プロセス及び施工装置を革新的に提案する。本発明の一連の技術革新によって、従来の高速鉄道と都市軌道交通用のプレハブスラブ式軌道構造の設計及び施工の点での欠陥を解消し、施工工程を大幅に簡素化、施工技術レベルを向上させ、軌道の滑らかさを向上させ、養生メンテナンスを容易化することができる。
【発明の概要】
【発明が解決しようとする課題】
【００２４】
本発明は、防振特性調整可能な軌道交通用新型プレハブスラブ式防振軌道構造システムを提供することを目的とする。該軌道構造システムは、様々な防振ニーズ（非防振を含む）を満たすことができ、プレハブスラブが工場生産を採用し、防振隔離層が工場で特殊の方法によって複合され、敷設時に専用施工装置を使用し、施工工程が少なく、施工速度が速く、施工精度が高く、線路の滑らかさに優れた等の特徴を有する。
【課題を解決するための手段】
【００２５】
背景技術に記載の現在の高速鉄道と都市軌道交通のスラブ式軌道技術の問題、及び新型スラブ式防振軌道システムで解決すべき重要な技術革新問題に対して、システム革新によって、新型都市軌道交通プレハブスラブ式防振軌道の一連の技術及び装置を形成する。本発明は新型プレハブスラブ式防振軌道構造システム及びその関連工法、施工装置を開示し、その主要な技術的特徴と従来の技術との重要な相違点は表１に示される。
【００２６】
本発明の主要な技術的特徴と従来の技術との重要な相違点の比較表
【表１】
2019501320.tif 000012
2019501320.tif 000013
2019501320.tif 000014
2019501320.tif 000015
2019501320.tif 000016
【００２７】
各部分の主要な特徴はそれぞれ以下の通りである。
【００２８】
１、新型プレハブスラブ式防振軌道構造システムの主要な特徴は以下の通りである。
【００２９】
１）工場又は現場で高精度金型によって鉄筋コンクリート軌道スラブを製造する。軌道スラブは非プリストレス鉄筋コンクリート構造としており、軌道スラブ表面の外観品質、平坦度及び製造精度を確保するために、プレハブ時、スラブ面を伏せる方式を採用し、下型及びブラケットシステムが十分な剛性を有することで、標準範囲外のスラブ面変形を防止し、スラブのすべての埋め込み部材は金型に確実な固定装置が設けられることで、埋め込み精度を確保し、従来から直線スラブが異なる半径の曲線スラブに近似的に適応する工法と異なり、本発明の軌道スラブは軌道スラブの外郭を変更せずに、特殊の調整可能埋め込み部材ロケータを用いることで、１セットの標準的な軌道スラブ金型を異なる曲線半径の技術条件に高精度に適応させ、金型の適応性と経済性を大幅に向上させる。
【００３０】
２）従来の軌道スラブの施工中の浮上問題を回避し、コンクリート注入充填時の浮力影響を軽減させるために、軌道スラブの底面は下部の２つの角部を切断した逆台形断面とすることで、浮力作用を効果的に減少させ、１回のコンクリート注入面の高さを制御する場合、施工中の軌道スラブの浮上を回避できる。それとともに、逆台形底面とすることで、プレハブスラブの曲線形トンネル底面（例えば、シールドトンネル及び鉱山トンネルの円弧状底面）への適応性を向上させ、軌道スラブの厚さ増加と土木工事の施工誤差の適応性向上に有利である。スラブ厚さの増加は、有効振動質量を増加させ、軌道構造の防振効果を向上させることに有利である。
【００３１】
３）測定及びスラブ搬送、スラブ卸し、スラブ調整、スラブ固定等のニーズに応じて、プレハブスラブ内に吊り上げ、敷設用の吊り上げ点、センタリング用のマーク、プリズム取付孔、縦方向接続装置取付孔等が設けられる。プリズム取付孔は取り付け締結具用ナイロンケーシングを利用してもよく、スラブ内に専用取付孔が予め設けられてもよい。
【００３２】
４）高速鉄道用軌道スラブの端部に軌道スラブの制限杭と嵌合する半円形ノッチと異なり、本発明はプレハブスラブの中部に円形又はほかの形状の複数の制限杭保留孔が設けられ、該保留孔は基層コンクリート注入孔及び基層コンクリート注入の観察孔として兼用できる。下部充填層を注入する時、プレハブスラブの上面とほぼ同一の水平面になるまで制限孔を注入すると、鉄筋かごを下部基礎部に挿入し、平らにならして鉄筋コンクリート構造の制限杭を自然に形成し、プレハブスラブの縦方向、横方向の安定性を確保する。
【００３３】
５）本発明の軌道構造システムでは、スラブ下道床基層構造は一括現場打ちコンクリート構造のみを含み、従来技術のトンネル底部充填、基層コンクリート注入、基層面レベリング、スラブ底部と基層との間におけるＣＡモルタル充填等を含む複数の工程が不要であり、施工工程を大幅に簡素化させる。
【００３４】
２、プレハブスラブと防振クッションとの複合方式。
【００３５】
プレハブスラブと防振クッションとの複合の難点は、プレハブスラブと防振クッションの体積が大きく、重量が大きく、どのようにして、プレハブスラブと防振クッション自体の損傷やその防振特性の低下を引き起こすことなく搬送及び使用中に常に密着させて複合するかである。その主要な特徴は以下の通りである。
【００３６】
１）防振クッション層は弾性材料からなり、異なる構造、構成形態のゴム、ポリウレタン又は防振特性を有するほかの類似弾性材料が挙げられる。
【００３７】
２）異なる防振等級の需要を満たすために、防振クッションは防振需要に応じて、弾性の異なる材料を選択でき、全面敷設、帯状敷設及び点状敷設等の異なる敷設方法によって異なるスラブ下支持弾性を実現できる。防振クッション層と軌道スラブの接続はその防振特性の発揮を損なわない新規な接続方式を採用し、プレハブスラブとゴムクッションとの複合信頼性を確保する。
【００３８】
３）弾性クッションが全面敷設の場合、軌道スラブの底部に複合された防振クッション層がスラブ端部、スラブ側面と一体成形されてよく（「カバー」と類似する方式）、弾性クッションを別体に設計し、一体に組み立てるようにしてもよい。スラブの側面当て板と端面当て板の主要な機能は軌道スラブと周辺コンクリートとの弾性的隔離を実現し、施工時にコンクリートが防振クッションと軌道スラブとの間の結合層に侵入することを回避し、軌道スラブが上下に変形自在であることを確保し、防振「短絡」現象を回避することである。底部クッション層の主要な機能は軌道スラブの弾性を提供し、軌道構造システムの防振機能を実現することである。
【００３９】
４）底部の充填コンクリートがクッション層のスリットに侵入して防振クッションの弾性損失及び消失を招くことを防止するために、軌道スラブの孔開け部位に、底部に「つば」を有する専用の弾性密封スリーブが設置され、密封スリーブの底部の「つば」が防振クッションの底面に効果的に密封接続される。また、密封スリーブはさらに以下の作用を有する。［１］後打ちした制限ボスと嵌合して、スラブの縦方向、横方向変形に対しある程度緩衝作用を果たす。［２］垂直振動時のプレハブスラブと制限ボスとの相互制約作用を軽減させ、防振特性への影響を低減させる。［３］プレハブスラブを交換する必要がある時、スラブ吊り上げ時のスラブとグラウチングスリーブとの間の摩擦抵抗を低減させる。［４］グラウチングスリーブを取り付ける時にプレハブスラブ孔壁との摩擦抵抗等を低減させる。
【００４０】
５）必要に応じて、弾性クッション層の露出した部位に密封手段が設置され、それにより施工、運営過程での粉塵、汚れや地下水が結合層に侵入することを防止する。
【００４１】
３、新型プレハブスラブ式防振軌道構造システムの関連工法の主要な特徴は以下の通りである。
【００４２】
１）従来の手動作業方式の代わりに、インテリジェント軌道施工装置によってスラブ搬送、スラブ卸し、スラブ調整等の重要なプレハブスラブ施工工程の作業を行う。インテリジェント軌道施工装置は主にスラブ搬送車、スラブ調整車及び測定制御システムの３つの部分から構成され、各構成部分の機能及び特徴は以下の通りである。
【００４３】
（１）スラブ搬送車は、スラブを作業面に運び、且つスラブをスラブ搬送車から次の工程に自動的に搬送する機能を担う。スラブ搬送装置走行システムは、各種のトンネルの底部輪郭及びレール条件に能動的に適応して走行できる専用軌道スラブ搬送ダンプカーを使用する。主にフレーム、スラブ搬送機構、ステアリング機構、ハンギング機構、車輪、運転室等のいくつかの部分から構成される。
【００４４】
（２）スラブ調整車は主にプレハブスラブの微調整機能を担う。プレハブスラブを軌道敷設作業面に搬送した後、スラブ搬送車が作業面における微調整車とドッキングする。スラブ搬送車のスラブ搬送機構がスラブを微調整車に自動的に搬送する。スラブ調整車はプレハブスラブに対する空間６自由度の調整を実現する。微調整車の調整方式は上部調整（微調整機構はプレハブスラブの上方に位置し、すなわち、スラブを「引き上げる」）又は下部調整（微調整機構はプレハブスラブの下方に位置し、すなわち、スラブを「持ち上げる」）の２種の方式に設計できる。
【００４５】
（３）測定制御システム。測定制御システムは微調整車と組み合わせて使用し、プレハブスラブの自動微調整機能を行い、従来のプレハブスラブ施工プロセスでは手動でスラブ敷設及びスラブ調整を行う必要があるという問題を解決する。測定制御システムはデータを自動的に測定し、測定データを微調整機構に提供し、微調整機構が自動的にスラブ調整作業を行うように指導する。測定制御システムのハードウェア部分は主にトータルステーション、傾斜センサフレーム、測定プリズム及びツーリング、微調整情報表示、制御ユニット、産業用コンピュータ、車載コントローラ等を備える。ソフトウェア部分の主な機能モジュールは、線路ラインタイプデータの入力及び編集モジュール、トータルステーション、フレームセンサ制御及びシステム微調整パラメータの設定モジュール、トータルステーションシステムの設置及び検査モジュール、プレハブスラブ微調整測定モジュール等を備える。プレハブスラブ微調整測定モジュールは本ソフトウェアのコアであり、一方ではトータルステーション及びセンサの動作を制御し、他方ではデータ計算結果を車載コントローラにリアルタイムに送信して、スラブ敷設作業を行う。
【００４６】
２）インテリジェント防振軌道施工装置をプレハブスラブの施工プロセスに導入した後、主な施工プロセスは以下のステップを含む。
【００４７】
（１）プレハブスラブを軌道敷設現場に搬送する。プレハブスラブ（工場内でスラブ−クッション複合されたプレハブスラブ）搬送は自動車によって軌道敷設現場に運ばれる。スラブ−クッション一体化によって、プレハブスラブ搬送中のプレハブスラブの損傷を防止できる。
【００４８】
（２）プレハブスラブの吊り上げ・卸し及び搬送。トラッククレーン又はガントリークレーンを用いてプレハブスラブを、特別に開発されたスラブ搬送車に吊り上げ・卸しする。トンネル内のスラブ搬送車は１回あたり複数のプレハブスラブを運び、スラブ搬送車は車両フロアの中心線に対して対称的に積載すべきである。
【００４９】
（３）プレハブスラブの微調整。プレハブスラブを作業面に搬送した後、スラブ搬送車が作業面における微調整車とドッキングする。スラブ搬送車のスラブ搬送機構はスラブを微調整車に自動的に搬送した後、測定制御システムをオンにし、プレハブスラブ精度が設計要件を満たすまで、微調整機構が自動スラブ調整を行うように制御する。
【００５０】
（４）固定ツーリングの取り付け。プレハブスラブを所定位置に微調整した後、プレハブスラブ固定ツーリングを手動で取り付け、取り付け時、位置決め済みのプレハブスラブを緩衝しないようにし、プレハブスラブ固定ツーリングの取り付け完了後、測定制御システムは微調整機構をプレハブスラブから分離するように操作する。
【００５１】
（５）補助型枠の取り付け。スラブ下道床基層注入前、必要に応じて所要の型枠（例えば、溝型枠等）を取り付ける。
【００５２】
（６）道床基層の注入。道床基層は自己充填コンクリート又はモルタルなど強度と流動性要件を満たす材料で充填（注入）される。注入前、軌道スラブの姿勢や位置を再測定し、且つ防振クッションとプレハブスラブの複合状況を検査すべきである。スラブ下道床基層は単一材料で一括注入され、且つ１回で所定の位置に注入するモードが好ましく、必要に応じて、２〜３回に分けて所定の位置に注入されてもよい。
【００５３】
スラブ下部充填層の注入完了後、後続の工程は従来のプレハブスラブ軌道施工工程と類似し、例えば充填層の養生、レール、締結具の取り付け、線路整備等が挙げられる。従来のプレハブスラブ施工プロセスに比べて、インテリジェント施工装置を用いて施工する時、トンネル底部充填、基層コンクリート注入、基層面レベリング、スラブ底部と基層との間におけるＣＡモルタル充填等の多くの作業工程が不要で、スラブ搬送過程に仮設軌道の敷設もプレハブスラブの粗敷設丁張りも不要であり、スラブ調整速度が手動スラブ調整よりも早く、スラブ調整精度が高く且つ精度が安定し、人的要因の影響を受けない等の長所を有するため、施工工程を簡素化させ、施工効率を高め、軌道面の滑らかさを向上させる。
【００５４】
３）「相互交換修理」の概念によって防振クッションの交換を実現する。本発明は新規な「相互交換修理」方式によって軌道スラブと防振（隔離）層の交換作業を行い、すなわち、交換対象の軌道を撤去した後、専用施工装置（スラブ敷設車）によって交換対象の軌道スラブと防振クッションのユニットを直接吊り上げて取り出すとともに、用意した別の同じ軌道スラブと防振クッションのユニットを元の位置の溝に直接挿入し、締結具、レールを再取付するだけで、交換作業を完了する。完全に標準化したユニットを採用するため、極めて短い時間に作業を完了でき、交換効率が高く、地下鉄の夜間の短い運転停止期間での作業に非常に適する。
【００５５】
上記本発明の技術的特徴と従来の高速鉄道及び都市軌道交通技術の特徴との比較分析によれば、本発明は新規なプレハブ防振軌道スラブ構造、新規なスラブ−クッション複合方式、高速鉄道用軌道スラブのひび割れ問題を徹底的に回避できる新規な軌道スラブと基層分離モード、新規な一体式注入道床基層施工プロセス、新規な軌道スラブ制限杭一括成形プロセス、様々な道路条件に適応する新型軌道スラブ搬送装置、新型軌道スラブ微調整装置及び測定制御システム、新型軌道スラブ内蔵支持調整器、「相互交換修理」概念に基づく新規な軌道スラブ交換及びメンテナンス技術、及びほかのスラブ式軌道と異なる一連の新規な技術的特徴及び補助装置を提供する。上記技術によって新型スラブ式防振軌道システムを建設すると、軌道構造システムの特性が高く、防振特性に優れ、施工作業工程が少なく、機械化程度が高く、手間を省き、施工精度が高く、施工速度が速く、運営メンテナンスが容易である等の一連の顕著な利点を有する。
【００５６】
本発明の詳細は後述する説明及び図面から分かる。
【図面の簡単な説明】
【００５７】
【図１】図１は本発明のプレハブ防振軌道構造システムの構造模式図を示す。
【図２】図２は本発明の面状支持の平面図を示す。
【図３】図３は本発明の点状支持の平面図を示す。
【図４】図４は本発明の帯状支持の平面図を示す。
【図５】図５は本発明のスラブ調整後に調整バーによってスラブを固定する様子の模式図を示す。
【図６】図６は本発明のスラブ搬送車の構造模式図を示す。
【図７】図７は本発明の吊り上げ車の構造模式図を示す。
【図８】図８は本発明の微調整機能を有する吊り上げ車の構造模式図を示す。
【図９】図９は本発明の微調整用トロリーの構造模式図を示す。
【発明を実施するための形態】
【００５８】
図１に示すように、本発明はプレハブ防振軌道構造システムに関し、前記プレハブ防振軌道構造システムは多層設計であり、下から順に充填層１、弾性クッション層４及び軌道スラブ６を備える。
【００５９】
充填層１は最下位層であり、弾性クッション層４は充填層１の上に敷設され、好適には、該充填層は自己充填コンクリートからなり、それにより注入時、優れた流動性を提供し、且つ優れた支持効果を提供できる。弾性クッション層４の端部はシーリング材（ポリウレタンシーラント等の材料）１５であり、それにより粉塵、異物、水等が弾性クッション層４と軌道６又は弾性クッション層４と充填層１との間の隙間に侵入することを防止する。
【００６０】
該弾性クッション層４は充填層１の上に設けられ、充填層１の弾性緩衝を提供し、その迅速損傷を回避し、好ましくは、前記該弾性クッション層４はゴム又はポリウレタン等の弾性材料からなり、優れた防振効果を提供できる。
【００６１】
該軌道スラブ６は弾性クッション層４の上に設けられ、防振作用を果たし、前記軌道スラブ６に並行する２本のレール７が設けられ、各レール７がそれぞれ複数の締結具５によって該軌道スラブ６に固定される。
【００６２】
好ましくは、前記弾性クッション層４は面状支持（図２参照）、点状支持（図３参照）及び帯状支持（図４参照）の３種の形態を含む。
【００６３】
図２に示される面状支持において、軌道スラブ６の下面が弾性クッション層４の上面に全面にわたって平らに敷設され、前記弾性クッション層４全体が軌道スラブ６の底部及び両側の側部に被覆される。
【００６４】
図３に示される点状支持において、前記弾性クッション層４は間隔をあけて並んだ複数の直方体、円筒、円錐台又はプリズム形状の弾性クッション層４を含み、前記軌道スラブ６の下面が前記複数の弾性クッション層の上に敷設される。
【００６５】
図４に示される帯状支持において、前記弾性クッション層４は少なくとも２本の並行する弾性支持ストリップを含み、前記軌道スラブ６の下面が２本の弾性支持ストリップの最上面に敷設される。
【００６６】
好ましくは、前記軌道スラブ６の断面は対称的な多角形であり、その両側を斜面構造とすることで、トンネル断面への適応性を向上させる。
【００６７】
前記軌道スラブ６の上面は水平面又は斜面を有するものであり、ボスが設けられ、ボスの表面が水平面又は斜面である。
【００６８】
軌道スラブ６の上面に４個の吊り上げ、敷設用の吊り上げ点１１、センタリング用のマーク１４、スラブ調整固定用の保留孔１２が予め設けられ、プリズム取付用孔は締結具取付用ナイロンケーシングを用いてもよく、スラブ内に専用埋め込みナイロンケーシングを埋め込んでもよい。
【００６９】
前記軌道スラブ６の両側に縦方向接続装置１０が設けられ、それにより縦方向接続装置１０によって軌道スラブ６同士を接続し、スラブ同士のずれをよりよく回避でき、前記縦方向接続装置１０は軌道スラブ６に位置する複数の取付孔、及びボルトによって取付孔内に固定される接続バーを備え、それにより２つのプレハブスラブの間に縦方向接続方式を適用する。
【００７０】
前記軌道スラブ６の中部に、軌道スラブ６と弾性クッション層４を貫通する２つの孔２が設けられ、孔２によって充填層を注入した後、スラブの制限杭を形成する。
【００７１】
前記孔２内に密封スリーブ３が取り付けられ、前記密封スリーブは弾性材料からなる円筒構造であり、孔内から充填層を注入する時、充填材料がスラブと弾性クッション層との間に入って防振故障を招くことを回避する。それとともに、スラブと制限杭との間に緩衝作用を形成する。
【００７２】
前記軌道スラブ６はライン生産され、弾性クッション層が軌道スラブと工場内で一体に複合され（特殊の場合に、弾性クッション層が現場で敷設されてもよい）、スラブ搬送車によって現場に運んだ後、微調整プラットフォームトロリーによって敷設、微調整した後、調整バー１４によってスラブを固定した後、充填層を注入し、シームレスレールを敷設する。
【００７３】
前記軌道スラブ６の両側に排水溝８が設けられ、弾性クッション層４の下部に溝（この場合、排水溝８が設けなくてもよい）が設けられてもよく設けられなくてもよい。
【００７４】
本発明のプレハブスラブ防振軌道構造システムを提供するために、プレハブ時、効率よく複合を行うべきであり、前記軌道防振構造の複合方法は以下のステップを含む。
【００７５】
ステップ１：軌道スラブのプレハブ
【００７６】
工場内で軌道スラブ内の鉄筋結束、軌道スラブコンクリート注入を行い、プレハブ完了後、被覆、蓄水、シートによる保湿、養生剤のスプレー又は塗布等の養生手法によって、軌道スラブ養生を行う。
【００７７】
ステップ２：スラブクッション複合
【００７８】
軌道スラブの養生完了後、軌道スラブの底面、斜面及び側面に防振クッションを被覆し、且つ該防振クッションはスラブ端部、スラブ下部、スラブ側面と一体成形されることで、切断や二次締結を回避する。防振クッション層と軌道スラブの複合は防振クッションの特性発揮を損なわない特殊の複合方法を採用する。
【００７９】
本発明の関連工法は主に以下のステップを含む。
【００８０】
ステップ１：軌道スラブの搬送
【００８１】
専用スラブ搬送車を用いて軌道スラブを作業現場に運び、軌道スラブがスラブ搬送車に吊り上げられ、スラブ搬送車にセルフロック装置が設けられ、セルフロック装置が軌道スラブを自動的に固定し且つ軌道スラブの中心を車両のフロアの中心に自動的に合わせ、搬送中に軌道スラブの位置を制御する。スラブ搬送車が作業面まで走行し、それと連動するスラブ卸し機構が自動的に軌道スラブを作業面に卸す。トンネル内スラブ搬送車が無軌道輸送方式を採用し、図６に示すように、前記トンネル内スラブ搬送車は複数の軌道スラブを載置する車体１６、及び車体の下端に位置する複数の走行部１８を備え、スラブ搬送車の一端に軌道スラブを卸すベルトコンベヤ１７、自動スラブ卸し機構１９がさらに設けられ、前記トンネル内スラブ搬送車の前後部にそれぞれドライバ制御室が設けられるとともに、トンネル内スラブ搬送車はトンネル構造の断面に応じて走行機構を調整して、異なる構造形態の走行ニーズを満たす（平面基礎も曲面基礎も可）。
【００８２】
ステップ２、軌道スラブの吊り上げ
【００８３】
専用吊り上げ車は作業面に配置された軌道スラブを吊り上げ、トンネル内の円形シールド壁上を走行でき、水平面上をも走行でき、それにより様々なタイプの構造面に適応する（すなわち、平面基礎も曲面基礎も可）。図７、図８に示すように、吊り上げ車は、フレーム構造２０と、曲面と平面上を走行可能な走行機構２１と、軌道スラブの昇降を制御する昇降機構２２が設けられ、さらに制御システム２３、油圧装置２５、位置決めシステム２４等を備える。
【００８４】
ステップ３、軌道スラブの微調整
【００８５】
軌道スラブの微調整は２種の手法を含み、それぞれ以下の通りである。
【００８６】
１、手法１
専用吊り上げ車に微調整機構と高精度制御システムが設計される。図８に示すように、主にフレーム構造２０及び前後走行機構２１を備え、前記フレーム構造２０に調整シリンダ２２が設けられ、前記調整シリンダ２２は２つの縦方向調整シリンダ及び２つの横方向調整シリンダを含み、それぞれ軌道スラブに接続された調整レバーによって軌道スラブを調整し、測定装置によってデータを静的トロリー制御システムにフィードバックし、スラブ調整車は軌道スラブの標高、中心線特定及び高さ超過の調整を自動的に行うことで、軌道スラブの位置が微調整要件の精度を満たし、前記走行機構２１は精密制御システム２３を用いて、トータルステーションの測定を油圧装置２５にフィードバックし、トータルステーションによって位置決めシステム２４を測定し、それにより吊り上げ車の高精度位置決めを実現し、軌道スラブの微調整を実現する。微調整完了後、軌道スラブに軌道スラブサポート１３を取り付け、軌道スラブの位置を固定することで、後続で下部充填層１を注入する時に軌道スラブの位置精度が常に誤差要件を満たすことを確保する。
【００８７】
２、手法２
【００８８】
専用吊り上げ車は軌道スラブを、開発した微調整用トロリーに卸した後、微調整用トロリーによって軌道スラブを微調整位置決めする。
【００８９】
図９に示すように、前記微調整用トロリーは主に、牽引車２７、微調整小フレーム２６、回転トレイ２９、縦方向・横方向ガイドレール２８、３０、高さ調整シリンダ３１等を備える。測定装置によってデータを静的調整トロリー制御システムにフィードバックし、軌道スラブの姿勢の自動調整を実現する。コア回転トレイ２９の回転によって軌道スラブの軸線を線路の中心線に平行させた後、回転自由度をロックする。縦方向ガイドレール２８と横方向ガイドガイドレール３０によって移動トレイの線路方向と線路方向に垂直な位置を調整し、移動トレイ上の軌道スラブの投影位置（水平位置）を所定位置に調整する。移動機構に設けられた縦方向調整ジャッキ３１によって軌道スラブの標高を調整する。最終的に軌道スラブの位置に微調整要件の精度を満たさせる。微調整完了後、軌道スラブに軌道スラブサポート１３を取り付け、軌道スラブの位置を固定することで、後続で下部充填層１を注入する時に軌道スラブの位置精度が常に誤差要件を満たすことを確保する、
【００９０】
ステップ２：コンクリート注入
【００９１】
防振クッションと軌道スラブとの複合状況及び防振クッションの周囲の密封状況を検査した後、コンクリート注入を行う。軌道スラブ下部充填層は自己充填コンクリート材料からなる。
【００９２】
前記自己充填コンクリートの注入は現場混合の方式を採用する。自己充填コンクリートは袋詰めであり、現場に運んだ後、撹拌装置によってコンクリートの混合を行い、均一に混合した後、固有の輸送配管によって軌道スラブに予め設けられた注入孔（制限ボスと兼用する）から注入する。
【００９３】
自己充填コンクリートの注入時、表面の滑らかさ及び緻密性の向上のため、小型バイブレータを挿入して振動を補助する。
【００９４】
注入後、静置過程では気泡のオーバーフローによってコンクリートが沈下し、コンクリートの初期硬化前に所定標高まで補充する。充填層注入中の軌道スラブの浮上による軌道スラブの精度への影響を回避するために、充填層注入は２回に分けて行われ、第１回にスラブの底から５０ｍｍに注入し、コンクリートの最終硬化後にさらに注入する。
【００９５】
ステップ３：締結具の敷設
【００９６】
自己充填コンクリートが所定強度に達すると、軌道スラブの上部締結具の取付を行い、軌道スラブ搬送車によって締結具を作業面に搬送し、取付順序はスラブ下部ゴム当て板→鉄製当て板→軌道下部ゴム当て板である。
【００９７】
ステップ４：レール敷設
【００９８】
軌道スラブ搬送車によってレールを作業面に搬送し、搬送車によってレールを取付点に卸して分散させ、手動でレールを鉄製当て板のレール受け溝内に移動させ、ゲージブロック、接続ボルト及びクリップを取り付けて溶接接続する。
【００９９】
本発明は以下の利点を有する。
【０１００】
１、構造形態が地下鉄シールドトンネルの寸法によりよく適応でき、土木工事の誤差による軌道敷設への影響を大幅に軽減させる。
【０１０１】
２、プレハブスラブ構造とすることで、敷設進捗及び施工品質を向上させ、軌道構造システムの信頼性を強化し、且つ外観が美しくなる。
【０１０２】
３、プレハブスラブと弾性クッション層を工場で複合することで、吊り上げ、上部支持時にスラブを保護でき、且つ弾性クッションを現場で敷設する工程を省くことで、施工進捗を向上させる。
【０１０３】
４、スラブに吊り上げ点、センタリングマーク、調整バー取付孔、測定プリズム取付孔等を予め設けるという複数種の措置を取ることで、軌道スラブの迅速、高精度施工を実現し、且つ防振軌道構造システムの交換性を向上させる。
【０１０４】
５、自己充填コンクリートを注入することで、コンクリートの流動性を高め、軌道スラブ下部コンクリートの緻密性を確保する。
【０１０５】
６、制限装置と底部コンクリートの一次成形を実現する。
【０１０６】
７、自ら開発した微調整用トロリーシステムによってスラブ敷設を行い、施工プロセスが簡単で、施工進捗を大幅に加速し、敷設精度が高く、作業量を大幅に低減させる。
【０１０７】
従って、本発明のスラブ式軌道防振構造及び関連工法は軌道交通分野に適用でき、防振特性が必要に応じて適宜設計できるだけでなく、施工プロセスが簡単で、施工速度が速く、施工精度が高く、軌道の滑らかさに優れ、作業量が小さい等の特徴を有し、軌道交通の環境配慮、高効率及び障害減少の傾向に一致し、社会的利益が巨大で、都市軌道交通の車両走行で生じた振動及び二次構造騒音の問題を効果的に軽減させる。
明らかなように、上記説明と記載は例示的であり、本発明の開示内容、応用又は使用を限定するものではない。図面に示される実施例を参照して説明したが、本発明は図面に示された例及び実施例に説明された本発明を実施する従来の特定の最適実施例に限定されるものではなく、本発明の範囲は上記明細書及び添付特許請求の範囲に属するすべての実施例を含む。
【国際調査報告】
2019501320.tif 000017
2019501320.tif 000018
2019501320.tif 000019
2019501320.tif 000020